(57)【要約】【課題】熱膨張による破損を防ぐと共に、容易に設置できるフェンスを提供する。【解決手段】フェンス１０は、横板１２と、横板１２を保持する第一スライド部材１４および第二スライド部材１６と、支柱１８，２０と、第一スライド部材１４が上下動する第一ガイド部材２２と、第二スライド部材１６が上下動する第二ガイド部材２４を有する。第一ガイド部材２２は第一ガイド突出線４０と第二ガイド突出線４２を備え、第二ガイド部材２４は第三ガイド突出線４４と第四ガイド突出線４６を備える。第一スライド突出線３０が第一ガイド突出線４０と第二ガイド突出線４２の間に配置されるように、第一ガイド部材２２に第一スライド部材１４が装着される。第二スライド突出線３２が第三ガイド突出線４４と第四ガイド突出線４６の間に配置されるように、第二ガイド部材２４に第二スライド部材１６が装着される。【選択図】図２
0003189748.tif 000002
【実用新案登録請求の範囲】
【請求項１】
横板と、
前記横板の長手の一方の端部を保持する第一スライド部材と、
前記横板の長手の前記一方と異なる他方の端部を保持する第二スライド部材と、
第一支柱と、
第二支柱と、
前記第一支柱の側面に設けられ、前記第一スライド部材が内側で上下動する第一溝部を備える第一ガイド部材と、
前記第二支柱の側面に設けられ、前記第二スライド部材が内側で上下動する第二溝部を備える第二ガイド部材とを有するフェンスであって、
前記第一スライド部材は、外面に第一スライド突出線を備え、
前記第二スライド部材は、外面に第二スライド突出線を備え、
前記第一ガイド部材は、前記第一溝部の内面に、第一ガイド突出線と、前記第一ガイド突出線の内側に設けられた第二ガイド突出線とを備え、
前記第二ガイド部材は、前記第二溝部の内面に、第三ガイド突出線と、前記第三ガイド突出線の内側に設けられた第四ガイド突出線とを備え、
前記第一スライド突出線が前記第一ガイド突出線と前記第二ガイド突出線の間に配置された状態で、前記第一スライド部材が前記第一ガイド部材の内側で上下動するように、前記第一スライド部材が前記第一ガイド部材に装着され、
前記第二スライド突出線が前記第三ガイド突出線と前記第四ガイド突出線の間に配置された状態で、前記第二スライド部材が前記第二ガイド部材の内側で上下動するように、前記第二スライド部材が前記第二ガイド部材に装着されたフェンス。
【請求項２】
請求項１において、
保持している前記横板の上下方向の長さよりも、上下方向の長さが大きい前記第一スライド部材および前記第二スライド部材を複数有するフェンス。
【請求項３】
請求項１または２において、
前記第一スライド部材および前記第二スライド部材は、前記横板の正面および背面が接触する面の少なくとも一部に凹凸が形成されたフェンス。
【請求項４】
請求項１から３のいずれかにおいて、
前記第一スライド部材は、前記第一溝部の前記第二ガイド突出線より内側に配置される第三スライド突出線を外面にさらに備え、
前記第二スライド部材は、前記第二溝部の前記第四ガイド突出線より内側に配置される第四スライド突出線を外面にさらに備えるフェンス。
【請求項５】
請求項１から４のいずれかにおいて、
前記第一スライド部材および前記第二スライド部材は、水平断面がコ字形状である保持部を備え、
前記保持部は、前記横板の端面の外側となる面に外溝が形成されたフェンス。
【請求項６】
請求項１から５のいずれかにおいて、
前記第一支柱と前記第二支柱との間に、第一横枠と、前記第一横枠より下に設けられた第二横枠とをさらに有し、
前記第一横枠は下方が開いた溝を備え、
前記第二横枠は上方が開いた溝を備え、
前記第一横枠および前記第二横枠の溝に上下の端部が装着された複数の縦板を有し、
前記横板と前記縦板が格子状になるように前後に配置されたフェンス。
【考案の詳細な説明】
【技術分野】
【０００１】
本考案は、熱膨張による破損を防ぐと共に、容易に設置できるフェンスに関するものである。
【背景技術】
【０００２】
庭やウッドデッキ等の外周に設置するフェンスには、支柱と横板とを組み合わせて構成されるものがある。このフェンスは、例えば、複数の支柱の下部を所定の間隔で地中やデッキフロア上に固定した後、隣り合った支柱の間に、複数の横板を上下方向に並べて固定することによって設置する。このとき、上下方向に一定の間隔を開けて横板を固定すれば、横板の隙間から、光や風を採り込める。
【０００３】
しかしながら、複数の横板を等間隔に固定するには、時間や労力を要する。また、支柱間にネジ等を用いて横板を固定した場合、横板の熱膨張によって、支柱や横板に無理な力が加わって、フェンスが破損するおそれがある。この問題に対応したフェンスが知られている（特許文献１）が、さらに容易に設置できるフェンスの出現が望まれている。
【先行技術文献】
【特許文献】
【０００４】
【特許文献１】実用新案登録第３１７８０７９号公報
【考案の概要】
【考案が解決しようとする課題】
【０００５】
本考案はこのような事情に鑑みてなされたものであり、熱膨張による破損を防ぐと共に、容易に設置できるフェンスを提供することを目的とする。
【課題を解決するための手段】
【０００６】
本考案のフェンスは、横板と、横板の長手の一方の端部を保持する第一スライド部材と、横板の長手の一方と異なる他方の端部を保持する第二スライド部材と、第一支柱と、第二支柱と、第一支柱の側面に設けられ、第一スライド部材が内側で上下動する第一溝部を備える第一ガイド部材と、第二支柱の側面に設けられ、第二スライド部材が内側で上下動する第二溝部を備える第二ガイド部材とを有するフェンスであって、第一スライド部材は、外面に第一スライド突出線を備え、第二スライド部材は、外面に第二スライド突出線を備え、第一ガイド部材は、第一溝部の内面に、第一ガイド突出線と、第一ガイド突出線の内側に設けられた第二ガイド突出線とを備え、第二ガイド部材は、第二溝部の内面に、第三ガイド突出線と、第三ガイド突出線の内側に設けられた第四ガイド突出線とを備え、第一スライド突出線が第一ガイド突出線と第二ガイド突出線の間に配置されるように、第一スライド部材が第一ガイド部材に装着され、第二スライド突出線が第三ガイド突出線と第四ガイド突出線の間に配置されるように、第二スライド部材が第二ガイド部材に装着される。
【０００７】
本考案のフェンスにおいて、保持している横板の上下方向の長さよりも、上下方向の長さが大きい第一スライド部材および第二スライド部材を複数有していてもよい。本考案のフェンスにおいて、第一スライド部材および第二スライド部材は、横板の正面および背面が接触する面の少なくとも一部に凹凸が形成されるのが好ましい。本考案のフェンスにおいて、第一スライド部材は、第一溝部の第二ガイド突出線より内側に配置される第三スライド突出線を外面にさらに備え、第二スライド部材は、第二溝部の第四ガイド突出線より内側に配置される第四スライド突出線を外面にさらに備えるのが好ましい。
【０００８】
本考案のフェンスにおいて、第一スライド部材および第二スライド部材は、水平断面がコ字形状である保持部を備え、保持部は、横板の端面の外側となる面に外溝が形成されていてもよい。本考案のフェンスにおいて、第一支柱と第二支柱との間に、第一横枠と、第一横枠より下に設けられた第二横枠とをさらに有し、第一横枠は下方が開いた溝を備え、第二横枠は上方が開いた溝を備え、第一横枠および第二横枠の溝に上下の端部が装着された複数の縦板を有し、横板と縦板が格子状になるように前後に配置されていてもよい。
【考案の効果】
【０００９】
本考案によれば、熱膨張による破損を防ぐと共に、容易に設置できるフェンスが得られる。
【図面の簡単な説明】
【００１０】
【図１】本考案の第一の実施形態に係るフェンスの正面図である。
【図２】図１のフェンスのＡ−Ａ線断面拡大図である。
【図３】本考案の第一の実施形態に係るフェンスの組立方法を説明するための正面図である。
【図４】本考案の第一の実施形態に係るフェンスの組立方法を説明するための正面図である。
【図５】本考案の第一の実施形態に係るフェンスの組立方法を説明するための正面図である。
【図６】本考案の第一の実施形態に係るフェンスの組立方法を説明するための正面図である。
【図７】本考案の第一の実施形態に係るフェンスの組立方法を説明するための正面図である。
【図８】本考案の第二の実施形態に係るフェンスの正面図である。
【図９】図８のフェンスのＢ−Ｂ線断面部分拡大図である。
【図１０】本考案の第三の実施形態に係るフェンスの正面図である。
【図１１】本考案の第三の実施形態に係るフェンスの背面図である。
【考案を実施するための形態】
【００１１】
以下、本考案のフェンスについて、図面を参照しながら各実施形態に基づいて説明する。なお、図面は、フェンス、フェンスを構成する部材、およびフェンス周辺の部材を模式的に表したものであり、これらの実物の寸法および寸法比は、図面上の寸法および寸法比と必ずしも一致していない。また、重複説明は適宜省略し、同一部材には同一符号を付与することがある。
【００１２】
（第一の実施形態）
図１は、本考案の第一の実施形態に係るフェンス１０の正面図である。図２は、図１のフェンス１０のＡ−Ａ線断面の拡大図である。フェンス１０は、横板１２と、第一スライド部材１４と、第二スライド部材１６と、第一支柱１８と、第二支柱２０と、第一ガイド部材２２と、第二ガイド部材２４とを備える。また、横板１２、第一スライド部材１４、および第二スライド部材１６で、パネルユニット２６を構成している。
【００１３】
横板１２は、長方形の板状部材であり、木または樹脂等からなる。第一スライド部材１４および第二スライド部材１６は、アルミやステンレス等の金属からなり、水平断面がコ字形状である保持部１４ａ，１６ａを備える細長い部材である。第一スライド部材１４は、横板１２の長手の一方の端部１２ａを挟み込むように保持する。第二スライド部材１６は、横板１２の一方の端部１２ａと異なる長手の他方の端部１２ｂを挟み込むように保持する。
【００１４】
第一支柱１８と第二支柱２０は、底面が正方形または長方形等である四角柱形状を有し、木または樹脂等からなる。第一支柱１８と第二支柱２０は、ウッドデッキ等に下部が固定されたり、下部が地中に埋設されたりして設置される。第一ガイド部材２２は、第一支柱１８の側面１８ａに設けられ、第一スライド部材１４が内側で上下動する第一溝部２２ａを備える。第二ガイド部材２４は、第二支柱２０の側面２０ａに設けられ、第二スライド部材１６が内側で上下動する第二溝部２４ａを備える。側面１８ａと側面２０ａは向かい合っている。
【００１５】
図２に示すように、第一スライド部材１４は、外面に第一スライド突出線３０，３０を備え、第二スライド部材１６は、外面に第二スライド突出線３２，３２を備える。本実施形態では、図１に示すように、第一スライド部材１４および第二スライド部材１６の上下方向の長さは、保持している横板１２の上下方向の長さより大きい。また、フェンス１０は、上下方向に積み重ねられたパネルユニット２６を複数備える。このため、横板１２，１２の間に隙間が設けられたフェンス１０を簡易に組み立てられる。
【００１６】
本実施形態では、第一スライド部材１４および第二スライド部材１６は、図２に示すように、横板１２の正面１２ｃおよび背面１２ｄが接触する面の少なくとも一部に凹凸が形成されている。このため、第一スライド部材１４および第二スライド部材１６の保持部１４ａ，１６ａの内側に横板１２を差し込んだときに、横板１２から第一スライド部材１４または第二スライド部材１６が抜けにくくなる。
【００１７】
また、第一スライド部材１４および第二スライド部材１６の保持部１４ａ，１６ａには、外溝３４，３６が形成されている。すなわち、外溝３４，３６は、横板１２の端面１２ｅ，１２ｆの外側となる保持部１４ａ，１６ａの外面に形成されている。このため、第一スライド部材１４および第二スライド部材１６の保持部１４ａ，１６ａの内側の空間の厚さを横板１２の厚さより少しだけ小さくしておけば、保持部１４ａ，１６ａの内側に横板１２を差し込んだときに、保持部１４ａ，１６ａが容易に広がる。また、広がった保持部１４ａ，１６ａの復元力によって、第一スライド部材１４および第二スライド部材１６が横板１２を強固に保持できる。
【００１８】
第一ガイド部材２２および第二ガイド部材２４は、アルミやステンレス等の金属からなり、水平断面がコ字形状である第一溝部２２ａおよび第二溝部２４ａをそれぞれ備える細長い部材である。第一ガイド部材２２は、第一溝部２２ａの内面に、第一ガイド突出線４０，４０と、第一ガイド突出線４０，４０の内側に設けられた第二ガイド突出線４２，４２を備える。第二ガイド部材２４は、第二溝部２４ａの内面に、第三ガイド突出線４４，４４と、第三ガイド突出線４４の内側に設けられた第四ガイド突出線４６，４６を備える。
【００１９】
本実施形態のフェンス１０では、第一スライド突出線３０，３０が第一ガイド突出線４０，４０と第二ガイド突出線４２，４２の間に配置されるように、第一スライド部材１４が第一ガイド部材２２に装着される。また、第二スライド突出線３２，３２が第三ガイド突出線４４，４４と第四ガイド突出線４６，４６の間に配置されるように、第二スライド部材１６が第二ガイド部材２４に装着される。このため、第一スライド突出線３０が第一ガイド突出線４０と第二ガイド突出線４２の間で移動できる。したがって、横板１２が横方向に伸縮でき、横板１２の熱膨張や熱収縮によるフェンス１０の破損が抑えられる。なお、第一ガイド突出線４０と第二ガイド突出線４２の距離を、横板１２の熱膨張を許容する範囲内でできるだけ小さくすれば、パネルユニット２６が、がたつくのも抑えられる。
【００２０】
第一スライド部材１４の外面には、第一溝部２２ａの第二ガイド突出線４２，４２より内側となる位置に、第三スライド突出線４８，４８が設けられている。同様に、第二スライド部材１６の外面には、第二溝部２４ａの第四ガイド突出線４６，４６より内側となる位置に、第四スライド突出線５０，５０が設けられている。第三スライド突出線４８，４８および第四スライド突出線５０，５０を設けることによって、第一ガイド部材２２および第二ガイド部材２４の内部で、第一スライド部材１４および第二スライド部材１６が前後方向にがたつくのを抑えられる。
【００２１】
つぎに、フェンス１０の組立方法について説明する。図３から図７は、フェンス１０の組立方法を説明するための正面図である。まず、図３に示すように、第一スライド部材１４および第二スライド部材１６で、横板１２の両端部１２ａ，１２ｂを挟み込んでパネルユニット２６を作製する。つぎに、図４に示すように、第一支柱１８および第二支柱２０の下部を、コンクリート等で地中に固定する。
【００２２】
そして、図５に示すように、第一支柱１８の側面１８ａに第一ガイド部材２２を、第二支柱２０の側面２０ａに第二ガイド部材２４を、ネジＳ等を用いてそれぞれ取り付け、第一ガイド部材２２および第二ガイド部材２４の下部に支持板片５２，５２を取り付ける。支持板片５２は、一番下のパネルユニット２６を支持する部材である。なお、第一支柱１８および第二支柱２０の固定工程と、第一ガイド部材２２、第二ガイド部材２４、および支持板片５２の取付工程の順序は逆でもよい。
【００２３】
つぎに、図６に示すように、第一スライド突出線３０，３０が第一ガイド突出線４０，４０と第二ガイド突出線４２，４２の間に配置されるように、第一スライド部材１４を第一ガイド部材２２に装着する。同時に、第二スライド突出線３２，３２が第三ガイド突出線４４，４４と第四ガイド突出線４６，４６の間に配置されるように、第二スライド部材１６を第二ガイド部材２４に装着する。このようにして第一ガイド部材２２と第二ガイド部材２４に複数のパネルユニット２６を装着した後、図７に示すように、キャップ５４，５４を第一ガイド部材２２および第二ガイド部材２４に装着して、一番上の第一スライド部材１４および第二スライド部材１６を覆う。キャップ５４，５４は、第一ガイド部材２２および第二ガイド部材２４に固定してもよい。
【００２４】
なお、キャップ５４，５４の装着に代えて、一番上の第一スライド部材１４および第二スライド部材１６を、第一ガイド部材２２および第二ガイド部材２４にネジ等で固定してもよい。こうして、図１に示すようなフェンス１０が作製される。フェンス１０は、第一スライド部材１４および第二スライド部材１６を、第一ガイド部材２２および第二ガイド部材２４に装着するという簡易な方法で組み立てられる。また、第一スライド突出線３０が第一ガイド突出線４０と第二ガイド突出線４２の間で、第二スライド突出線３２が第三ガイド突出線４４と第四ガイド突出線４６の間でそれぞれ移動できるため、横板１２の横方向への熱膨張によるフェンス１０の破損が抑えられる。
【００２５】
（第二の実施形態）
図８は、本考案の第二の実施形態に係るフェンス６０の正面図である。図９は、図８のフェンス６０をＢ−Ｂ線で切断したときの部分断面拡大図である。本実施形態では、第一支柱６２の側面６２ａに、２つの第一ガイド部材６４，６５が前後に並べて設けられており、第二支柱６６の側面６６ａに、２つの第二ガイド部材６８，６９が前後に並べて設けられている。横板７０が上下方向で前後に交互となるように、横板７０、第一スライド部材７２、および第二スライド部材７４からなるパネルユニット７６が、前同士の第一ガイド部材６４および第二ガイド部材６８と、後ろ同士の第一ガイド部材６５および第二ガイド部材６９に装着される。
【００２６】
（第三の実施形態）
図１０は、本考案の第三の実施形態に係るフェンス８０の正面図である。図１１は、フェンス８０の背面図である。フェンス８０は、第一支柱８２と第二支柱８４との間に、第一横枠８６と、第一横枠８６より下に設けられた第二横枠８８をさらに備える。第一横枠８６は下方が開いた溝９０を備え、第二横枠８８は上方が開いた溝９２を備える。また、フェンス８０は、第一横枠８６の溝９０および第二横枠８８の溝９２に上下の端部が装着された縦板９４を複数備える。そして、横板９６と縦板９４が格子状になるように前後に配置されている。
【００２７】
なお、第一横枠８６および第二横枠８８は、第一の実施形態の第一ガイド部材２２および第二ガイド部材２４を用いてもよい。この場合、第一スライド部材１４および第二スライド部材１６を縦板９４の上下端部に取り付けたパネルユニットを、この第一ガイド部材２２および第二ガイド部材２４に横から装着することになる。フェンス８０の例のように、本考案では多様なデザインのフェンスを簡易に作製することができる。
【００２８】
以上、各実施形態に基づいて本考案のフェンスを説明したが、本考案のフェンスは上記実施形態に限定されない。各実施形態では、横板、第一スライド部材、および第二スライド部材が一体化されたものを複数用いてフェンスを構成しているが、上下方向に長い第一スライド部材および第二スライド部材の２つで、複数の横板を保持してもよい。この場合、隣り合う横板の間で、第一スライド部材および第二スライド部材の内部に、隙間板片を入れるのが好ましい。隙間板片を入れることによって、フェンスの横板同士の間隔が維持できる。
【００２９】
また、本考案は、上下方向の長さが二種類以上の複数の横板を用いて、フェンスを構成してもよい。様々な高さの横板を用いることで、フェンスのデザインのバリエーションが広がる。また、本考案は、例えば、上部が第三の実施形態のフェンスで、下部が第一の実施形態のフェンスのように、格子状と横板状を組み合わせたフェンスを構成してもよい。
【符号の説明】
【００３０】
１０，６０，８０  フェンス
１２，７０，９６  横板
１４，７２  第一スライド部材
１６，７４  第二スライド部材
１４ａ，１６ａ  保持部
１８，６２，８２  第一支柱
２０，６６，８４  第二支柱
２２，６４，６５  第一ガイド部材
２４，６８，６９  第二ガイド部材
２２ａ  第一溝部
２４ａ  第二溝部
２６，７６  パネルユニット
３０  第一スライド突出線
３２  第二スライド突出線
３４，３６  外溝
４０  第一ガイド突出線
４２  第二ガイド突出線
４４  第三ガイド突出線
４６  第四ガイド突出線
８６  第一横枠
８８  第二横枠
９４  縦板
【図１】
0003189748.tif 000003
【図２】
0003189748.tif 000004
【図３】
0003189748.tif 000005
【図４】
0003189748.tif 000006
【図５】
0003189748.tif 000007
【図６】
0003189748.tif 000008
【図７】
0003189748.tif 000009
【図８】
0003189748.tif 000010
【図９】
0003189748.tif 000011
【図１０】
0003189748.tif 000012
【図１１】
0003189748.tif 000013